(57)【要約】【課題】ディジタル映像信号をリサンプリングした場合、数学的には正しい処理を行っていても、映像によっては主観的な色が変化してしまう場合がある。【解決手段】色信号処理装置４０１において、入力端子４０５に入力されたディジタル映像信号の色差信号ｎと、リサンプリング手段４０７がリサンプリングした信号ｒとから、入力信号がリサンプリングによって変化したように見える条件を満たしているかを色変化判定装置２０１が判定し、制御信号ｏを出力する。その結果から必要に応じ、信号補正装置３０１がリサンプリングされた入力信号ｐを補正して出力する。【選択図】図４
2008199478.tif 000002
【特許請求の範囲】
【請求項１】
ディジタル映像信号の色差信号を入力信号として、前記ディジタル映像信号の見た目の色が平滑化処理前後で変化するか否かを判定する色変化判定装置であって、
前記入力信号の所定範囲における分散と、平滑化処理された前記入力信号の前記所定範囲における分散とを比較することで、前記ディジタル映像信号の見た目の色が前記平滑化処理によって変化する条件を満たすか否かを判定する第１の条件判定手段と、
前記入力信号の前記所定範囲における平均値と、前記入力信号の最大値とを比較することで、前記ディジタル映像信号の見た目の色が前記平滑化処理によって変化する条件を満たすか否かを判定する第２の条件判定手段と、
前記第１の条件判定手段及び前記第２の条件判定手段での判定結果から前記ディジタル映像信号の見た目の色が前記平滑化処理によって変化するか否かを判定する色変化判定手段とを備えた色変化判定装置。
【請求項２】
前記平滑化処理はリサンプリング処理である、請求項１記載の色変化判定装置。
【請求項３】
ディジタル映像信号の色差信号を入力信号として、前記ディジタル映像信号の見た目の色が帯域制限前後で変化する場合に補正を行う色信号処理装置であって、
前記入力信号の所定範囲における分散と、平滑化処理された前記入力信号の前記所定範囲における分散とを比較することで、前記ディジタル映像信号の見た目の色が前記平滑化処理によって変化する条件を満たすか否かを判定する第１の条件判定手段と、
前記入力信号の前記所定範囲における平均値と、前記入力信号の最大値とを比較することで、前記ディジタル映像信号の見た目の色が前記平滑化処理によって変化する条件を満たすか否かを判定する第２の条件判定手段と、
前記第１の条件判定手段及び前記第２の条件判定手段での判定結果から前記ディジタル映像信号の見た目の色が前記平滑化処理によって変化するか否かを判定する色変化判定手段と、
前記入力信号の前記平均値が０に近づくように前記所定範囲における前記入力信号を補正する信号補正手段と、
前記色変化判定手段が、前記ディジタル映像信号の見た目の色が前記平滑化処理によって変化すると判定したとき、前記信号補正手段での補正結果を選択して出力し、前記色変化判定手段が、前記ディジタル映像信号の見た目の色が前記平滑化処理によって変化しないと判定したとき、前記入力信号を選択して出力する出力手段とを備えた色信号処理装置。
【請求項４】
前記平滑化処理はリサンプリング処理である、請求項３記載の色信号処理装置。
【請求項５】
ディジタル映像信号の色差信号と、前記ディジタル映像信号の見た目の色が平滑化処理によって変化するか否かを示す制御信号とを入力信号とし、
入力された色差信号の絶対値を小さくする信号補正手段と、
前記色差信号を、所定の期間だけ遅延させる遅延手段とを備え、
前記制御信号が、前記ディジタル映像信号の見た目の色が前記平滑化処理によって変化することを示すとき、前記信号補正手段によって補正された色差信号を選択して出力し、前記制御信号が、前記ディジタル映像信号の見た目の色が前記平滑化処理によって変化しないことを示すとき、前記遅延手段で遅延された前記色差信号を選択して出力する信号補正装置。
【請求項６】
前記平滑化処理がリサンプリング処理である、請求項５記載の信号補正装置。
【発明の詳細な説明】
【技術分野】
【０００１】
本発明は、ディジタル映像信号を帯域制限する前後で、見かけの色が変化してしまうことを防ぐための色信号処理装置に関する。
【背景技術】
【０００２】
映像信号を標本化して得られるディジタル信号に対する帯域制限は、一般的に行われている信号処理である。その中でも特に、ディジタル信号の標本化周波数を変化させるリサンプリング処理が多くの場合で適用される。リサンプリング処理はサンプリングレート変換処理とも呼ばれる。リサンプリング処理には、標本化周波数を上げるアップサンプリングと、標本化周波数を下げるダウンサンプリングとがある。
【０００３】
例えば、ディジタルＶＴＲ等の記録再生装置に内蔵されたダウンサンプリング装置は、記録時に、入力された映像に対して間引きフィルタによるダウンサンプリングを行う。
【０００４】
図１を用いて、ＹＵＶ４：２：２形式の映像を入力とし、ダウンサンプリングしてＹＵＶ４：２：０形式の画像を出力する、４タップローパスフィルタの動作を説明する。同図中、「○」はＹＵＶ４：２：２形式の映像の色差信号を示す。また、「●」はダウンサンプリング後の、ＹＵＶ４：２：０形式の映像での色差信号を示す。４タップのローパスフィルタでダウンサンプリングする際には、４個の入力信号を加算平均し、１個の出力信号を計算すればよい。例えば出力信号ｂ１及びｂ２はそれぞれ、入力信号ａ０〜ａ５を用いて数式１及び数式２で表される（例えば、特許文献１参照）。
【０００５】
【数１】
2008199478.tif 000003
【０００６】
【数２】
2008199478.tif 000004
【特許文献１】特開平８−３３００２号公報
【発明の開示】
【発明が解決しようとする課題】
【０００７】
しかしながら、上記従来のダウンサンプリング装置を用いて色差信号をダウンサンプリングした場合、数学的に正しい処理を行っていたとしても、映像によってはダウンサンプリングの前後で見た目の色が変化してしまうという課題があった。例えば、暗所で感度を上げて撮影した雑音を多く含む映像をダウンサンプリングすると、映像全体がダウンサンプリング前の映像よりも黄色っぽくなったように見える。
【０００８】
この問題の原因を説明するために、色域効果について説明する。以降では、ＹＵＶ形式の映像を例として用い、色差あるいは色差信号の値は０を中心とした符号付きの値とする。また、リサンプリングにはＦＩＲフィルタを用いることにする。
【０００９】
色域効果とは、色差の絶対値が大きい画素の近傍にある色差の絶対値が小さい画素は、主観的に色が知覚されにくくなるという効果である。一般に、ある領域内の色差信号の分散が大きい映像ほど、色域効果が大きくなる。色域効果が大きい映像は、映像全域で色域効果が生じる映像、すなわち、映像全域において色差信号の分散が大きい映像である。例えば、前述した暗所で感度を上げて撮影したような、ランダムノイズを多く含む映像は、色差の絶対値が大きい画素と小さい画素が映像全域に分布しているため、色域効果が大きい。
【００１０】
このような色域効果の大きい映像の色差信号に対して、上記従来のリサンプリング装置でリサンプリングを行うと、ローパスフィルタによる平滑化により映像全体における色差信号の分散が小さくなる。その結果、色域効果も小さくなり、それまで知覚されにくかった色、すなわち色差の絶対値が小さい画素の色が知覚されるようになる。これが、ダウンサンプリング後の映像がダウンサンプリング前の映像よりも黄色っぽくなったように見える原因である。
【００１１】
すなわち、上記のような見た目の色が変化してしまう問題は、以下の２つの条件が揃った映像に対してリサンプリングを行ったときに発生する。第１の条件は、映像が、色域効果の大きい映像であるということである。言い換えると、映像中の全域において色差信号の分散が大きい、ということになる。第２の条件は、映像全体の色差信号の平均が０ではなく特定の値に偏っていることである。これにより、色域効果の影響で知覚されにくかった画素の色がリサンプリング後には知覚されやすくなり、映像全体の色調が変わってしまったように見える。
【００１２】
本発明は上記課題を解決すべくなされたものであり、その目的とするところは、リサンプリングの前後での見た目の色変化を防ぐことのできる色信号処理装置を提供することにある。
【課題を解決するための手段】
【００１３】
上記の問題を解決するために本発明の色信号処理装置は、ディジタル映像信号の色差信号を入力信号として、ディジタル映像信号の見た目の色が帯域制限前後で変化する場合に補正を行う色信号処理装置であって、入力信号の所定範囲における分散と、平滑化処理された入力信号の所定範囲における分散とを比較することで、ディジタル映像信号の見た目の色が平滑化処理によって変化する条件を満たすか否かを判定する第１の条件判定手段と、入力信号の所定範囲における平均値と、入力信号の最大値とを比較することで、ディジタル映像信号の見た目の色が平滑化処理によって変化する条件を満たすか否かを判定する第２の条件判定手段と、第１の条件判定手段及び第２の条件判定手段での判定結果からディジタル映像信号の見た目の色が平滑化処理によって変化するか否かを判定する色変化判定手段と、入力信号の平均値が０に近づくように所定範囲における入力信号を補正する信号補正手段と、色変化判定手段が、ディジタル映像信号の見た目の色が平滑化処理によって変化すると判定したとき、信号補正手段での補正結果を選択して出力し、色変化判定手段が、ディジタル映像信号の見た目の色が平滑化処理によって変化しないと判定したとき、入力信号を選択して出力する出力手段とを備えた構成としたものである。
【発明の効果】
【００１４】
本発明の色信号処理装置によれば、リサンプリング処理の前後でディジタル映像信号の見た目の色が変化しないように、補正を行うことができる。
【発明を実施するための最良の形態】
【００１５】
（実施の形態１）
本発明の実施の形態１にかかる色変化判定装置は、ディジタル映像信号の色差信号と、ローパスフィルタによりリサンプリングされたディジタル映像信号の色差信号とを入力とし、入力される色差信号の分散とリサンプリングされた色差信号の分散の差が大きいこと（第１の条件）及び、色差信号の平均が０ではなく特定の値に偏っていること（第２の条件）を共に満たすか否かを判断することにより、ディジタル映像信号の見た目の色がリサンプリングによって変化するか否かを判定する。なお、以下において、形式を限定せず単にディジタル映像信号と表記する場合は、リサンプリング前後両方のディジタル映像信号を指すものとする。
【００１６】
図２に、本実施の形態における色変化判定装置の構成を示す。色変化判定装置２０１には、ＹＵＶ４：２：２形式のディジタル映像信号の色差信号（Ｕ信号）と、この色差信号（Ｕ信号）がＹＵＶ４：２：０形式にリサンプリングされたディジタル映像信号の色差信号（Ｕ信号）が順次入力される。これらの情報を元にして、入力されるディジタル映像信号の見た目の色がリサンプリング前後で変化するか否かを判断する。色変化判定装置２０１に入力される映像信号は事前にバッファリングされる等した上で、１フレーム分の信号が順次入力されるものとする。
【００１７】
色変化判定装置２０１において、第１の条件判定手段２０２は、第１の条件を満たすか否かを判定する手段である。第２の条件判定手段２０３は、第２の条件を満たすか否かを判定する手段である。色変化判定手段２０４は、２つの条件判定手段２０２、２０３の出力から、前記ＹＵＶ４：２：２形式のディジタル映像信号の見た目の色がリサンプリングによって変化するか否かを判定する手段である。
【００１８】
上記のように構成された本発明の色変化判定装置の動作について、図２を参照しながら説明する。ＹＵＶ４：２：２形式の１フレーム分のディジタル映像信号の色差信号（Ｕ信号）が、信号ａとして入力端子２０５に入力される。また、このディジタル映像信号をＹＵＶ４：２：０形式にリサンプリングして得られたディジタル映像信号の色差信号（Ｕ信号）が信号ｂとして入力端子２０６に入力される。
【００１９】
第１の条件判定手段２０２は、信号ａから１フレーム分の信号値の分散を計算する（分散Ａとする）。また、信号ｂから１フレーム分の信号値の分散を計算する（分散Ｂとする）。さらに、分散Ａと分散Ｂの計算が終わった後に両者を比較し、分散Ｂが分散Ａの半分以下の場合には、前記ディジタル映像信号が第１の条件を満たすと判断し、信号ｃとして「真」を示す信号を、そうでない場合には、信号ｃとして「偽」を示す信号を出力する。
【００２０】
第２の条件判定手段２０３は、信号ｂから１フレーム分の信号値の平均の絶対値を計算する。その値が、信号ｂの絶対値が取りうる最大値の１０％（入力信号が−５１２〜＋５１１の１０ビット精度であれば、５１）以上の場合には、前記ディジタル映像信号が第２の条件を満たすと判断し、信号ｄとして「真」を示す信号を出力し、そうでない場合には、信号ｄとして「偽」を示す信号を出力する。
【００２１】
色変化判定手段２０４は、第１の条件判定手段２０２からの信号ｃと第２の条件判定手段２０３からの信号ｄとを受け、信号ｃ、信号ｄの双方が「真」である場合は、前記ディジタル映像信号の見た目の色がリサンプリングによって変化すると判断し、信号ｅとして色変化信号Ｓｒを、そうでない場合は信号ｅとして色非変化信号Ｓｎを出力端子２０７から出力する。
【００２２】
本実施の形態の色変化判定装置２０１は上記のように動作することにより、ディジタル映像信号の見た目の色がリサンプリングによって変化するか否かを判定することが可能となり、この出力を使用して、リサンプリング後のディジタル映像信号でも見た目の色が変化しないように補正等の処理を行うことができる。
【００２３】
なお、本実施の形態では、ＹＵＶ４：２：２形式のディジタル映像信号のＵ信号のダウンサンプリング時を例に挙げて説明したが、Ｖ信号やＲＧＢ信号などの他の形式の信号に対しても同様に判定処理を行うことができる。また入力端子２０５にＹＵＶ４：２：０形式のディジタル映像信号の色差信号、入力端子２０６に、このＹＵＶ４：２：０形式のディジタル映像信号をＹＵＶ４：２：２形式にリサンプリングしたディジタル映像信号の色差信号を入力することで、アップサンプリング時も同様に判定処理を行うことができる。また、本実施の形態では垂直方向のリサンプリングを例に挙げて説明したが、水平方向の解像度を変えるリサンプリング等でも同様に処理できる。さらに、１フレーム分の色差信号を入力する代わりに、任意の領域の色差信号を入力することで、任意の領域に対しても同様に判定処理を行うことができる。
【００２４】
また、本実施の形態では、第１の条件判定手段２０２が「真」を出力するための閾値を分散Ａの半分としたが、これは分散Ａ未満であれば任意の値に設定してよい。
【００２５】
また、本実施の形態では、第２の条件判定手段２０３が「真」を出力するための閾値を、入力信号の絶対値が取りうる最大値の１０％としたが、これは入力信号の絶対値が取りうる最大値未満であれば任意の実数でよい。
【００２６】
さらに、本実施の形態はローパスフィルタによるリサンプリングを例に挙げて説明してあるが、ディジタル映像信号の見た目の色が変化するか否かを判定する対象となる処理はリサンプリングに限らず、色差信号に関する平滑化、すなわちローパスフィルタの効果がある処理であればよい。
【００２７】
（実施の形態２）
本発明の実施の形態２にかかる信号補正装置は、１フレーム分のディジタル映像信号の色信号と、前記ディジタル映像信号の見た目の色がリサンプリングによって変化する否かを示す制御信号を入力とし、制御信号に応じて色信号を補正して前記ディジタル映像信号の見た目の色がリサンプリングによって変化しないようにする。
【００２８】
図３に、本実施の形態における信号補正装置の構成を示す。信号補正装置３０１は、ＹＵＶ４：２：０形式の１フレーム分のディジタル映像信号の色差信号（Ｕ信号）と、前記ディジタル映像信号のＵ成分がリサンプリングによって変化したように見えるか否かを示す制御信号を入力とし、制御信号に応じて入力された色差信号を補正し、出力する。
【００２９】
信号補正装置３０１は、実施の形態１の色変化判定装置２０１と接続して使用する。具体的には、色変化判定装置２０１の出力端子２０７と、信号補正装置３０１の入力端子３０５とを接続する。したがって、信号ｅと信号ｋとが同一の信号となる。すなわち信号ｋは、色変化判定装置２０１において、ディジタル映像信号の見た目の色がリサンプリングによって変化すると判断した場合に色変化信号Ｓｒ、そうでない場合は色非変化信号Ｓｎとなるような信号である。
【００３０】
また、入力端子２０６及び入力端子３０４には同一の信号が入力される。したがって、信号ｂと信号ｊとが同一の信号となる。すなわち信号ｊは、ＹＵＶ４：２：２形式の１フレーム分のディジタル映像信号をＹＵＶ４：２：０形式にリサンプリングして得られたディジタル映像信号の色差信号（Ｕ信号）である。
【００３１】
信号補正装置３０１に入力される映像信号は事前にバッファリングされる等した上で、１フレーム分の信号が順次入力されるものとし、制御信号は必要なタイミングで入力されるものとする。
【００３２】
信号補正装置３０１において、信号補正手段３０２は、入力端子３０４から入力された色差信号ｊを、リサンプリング前後で見た目の色が変化しないように補正する。遅延手段３０３は、入力された色差信号ｊを、必要な時間だけ遅延させる。入力端子３０５には、入力されたディジタル映像信号がリサンプリング前後で見た目の色が変化したように見える場合には、色変化信号Ｓｎが入力され、そうでない場合には色非変化信号Ｓｒが入力される。
【００３３】
上記のように構成された本発明の信号補正装置の動作について、図３を参照しながら説明する。ＹＵＶ４：２：０形式の１フレーム分のディジタル映像信号の色差信号（Ｕ信号）が信号ｊとして入力端子３０４に入力され、前記ディジタル映像信号のＵ成分の見た目の色がリサンプリングによって変化するか否かを示す制御信号が、入力端子３０５に信号ｋとして入力される。
【００３４】
信号補正手段３０２は、まず信号ｊの平均値を計算し、更に信号ｊの全ての信号値からその平均値を減算し、信号ｌとして出力する。これにより、信号ｌの平均値は０になる。遅延手段３０３は、信号補正手段３０２が１フレーム分の信号を処理するのに必要な時間だけ信号ｊを遅延させ、信号ｍとして出力する。これにより、信号ｌと信号ｍは同じタイミングで出力されることになる。スイッチ３０６は、信号ｋによって制御され、信号ｋがＳｎであればスイッチをＡ側に接続することにより、信号ｌを信号ｉとして出力端子３０７から出力し、信号ｋがＳｒであればスイッチをＢ側に接続することにより、信号ｍを信号ｉとして出力端子３０７から出力する。
【００３５】
本実施の形態の信号補正装置３０１は上記のように動作することにより、色変化判定装置２０１にてディジタル映像信号の見た目の色がリサンプリングによって変化すると判断した場合には、リサンプリング後のディジタル映像信号中の色差信号の平均値が０となるように補正を行うため、リサンプリング後のディジタル映像信号でも見た目の色が変化しないようにすることができる。
【００３６】
なお、本実施の形態における信号補正手段３０２は、信号ｊから信号ｊの平均値を減算することで信号ｊの平均値を０にしているが、信号ｊの平均値よりも０に近い値であればどんな値で減算してもよい。そうすることで、信号ｌは信号ｊよりも０に近い値になり、色域効果が起こっても見た目の色変化が起こりにくくなる。また、信号補正手段３０２が信号ｋも受信し、信号ｋが色変化信号Ｓｒであれば上記のように動作し、信号ｋが色非変化信号Ｓｎであれば信号ｊを減算しないようにすることで、遅延手段３０３とスイッチ３０６を省略することができる。
【００３７】
また、本実施の形態では、入力信号としてＹＵＶ４：２：０形式のディジタル信号のＵ信号を例に挙げて説明したが、Ｖ信号やＲＧＢ信号などの他の形式の信号、またＹＵＶ４：２：２形式の信号に対しても同様に補正処理することができる。また、本実施の形態では垂直方向のリサンプリングを例に挙げて説明したが、水平方向の解像度を変えるリサンプリング等でも同様に処理できる。
【００３８】
また、本実施の形態の信号補正装置３０１は、実施の形態１の色変化判定装置２０１と接続して使用する例を挙げて説明したが、色変化判定装置２０１と同様に判定を行った結果が入力されるのであれば、他の構成の装置と接続して使用することも可能である。
【００３９】
さらに、本実施の形態はリサンプリングを例に挙げて説明してあるが、ディジタル映像信号の見た目の色が変化するか否かを判定する対象となる処理はリサンプリングに限らず、色差信号に関する平滑化、すなわちローパスフィルタの効果がある処理であればよい。
【００４０】
（実施の形態３）
本発明の実施の形態３にかかる色信号処理装置は、ディジタル映像信号の色差信号を入力として、リサンプリング前後で前記ディジタル映像信号の見た目の色が変化するか否かを判定し、変化する場合には前記ディジタル映像信号のリサンプリング後の色信号を補正することで、リサンプリングによる色変化が起こらないようにして出力し、変化しない場合には前記ディジタル映像信号のリサンプリング後の色信号をそのまま出力する。すなわち、本実施の形態の色信号処理装置は、実施の形態１の色変化判定装置と、実施の形態２の信号補正装置とを包含した構成となる。
【００４１】
図４は実施の形態３における色信号処理装置の構成を示すブロック図である。色信号処理装置４０１において、色変化判定装置２０１は、実施の形態１におけるそれと同等のものである。したがって、信号ａ、信号ｂおよび信号ｅと、信号ｎ、信号ｒおよび信号ｏとがそれぞれ同一の信号となる。また、信号補正装置３０１は、実施の形態３におけるそれと同等のものである。したがって、信号ｊ、信号ｋおよび信号ｉと、信号ｐ、信号ｏおよび信号ｑとがそれぞれ同一の信号となる。信号遅延手段４０４は、入力された信号を必要な時間だけ遅延させて出力する手段である。リサンプリング手段４０７は、例えば従前の方法で、入力されたＹＵＶ４：２：２形式のディジタル映像信号をＹＵＶ４：２：０形式のディジタル映像信号にリサンプリングする手段である。色信号処理装置４０１に入力される映像信号は事前にバッファリングされる等した上で、１フレーム分の信号が順次入力されるものとする。
【００４２】
上記のように構成された本発明の色信号処理装置について、図４を参照しながら説明する。ＹＵＶ４：２：２形式の１フレーム分のディジタル映像信号の色差信号（Ｕ信号）が信号ｎとして、入力端子４０５に入力される。リサンプリング手段４０７は信号ｎを、ＹＵＶ４：２：０形式のディジタル映像信号にリサンプリングし、信号ｒとして出力する。色変化判定装置２０１は信号ｎと信号ｒを入力とし、前記ディジタル映像信号のＵ成分の見た目の色がリサンプリングによって変化するか否かを判定し、変化する場合には信号ｏとして変化信号Ｓｒを、変化しない場合には信号ｏとして非変化信号Ｓｎを出力する。遅延手段４０４は、信号ｎを色変化判定装置２０１が１フレーム分の信号を処理するのに必要な時間だけ遅延させ、信号ｐとして出力する。信号補正装置３０１は、信号ｏと信号ｐを入力とし、信号ｏを基に必要に応じて信号ｐを補正し、信号ｑとして出力端子４０６から出力する。
【００４３】
本実施の形態の色信号処理装置４０１は上記のように動作することにより、ディジタル映像信号の見た目の色がリサンプリングによって変化するか否かを判定し、ディジタル映像信号の見た目の色がリサンプリングによって変化すると判断した場合には、リサンプリング後のディジタル映像信号中の色差信号の平均値が０となるように補正を行うため、リサンプリング後のディジタル映像信号でも見た目の色が変化しないようにすることができる。
【００４４】
なお、本実施の形態では、ＹＵＶ４：２：２形式のディジタル映像信号のＵ信号をダウンサンプリングする場合を例に挙げて説明したが、Ｖ信号やＲＧＢ信号などの他の形式の信号に対してや、アップサンプリングする場合も同様に補正処理を行うことがでる。また、本実施の形態では垂直方向のリサンプリングを例に挙げて説明したが、水平方向の解像度を変えるリサンプリング等でも同様に処理できる。さらに、１フレーム分ではなく、任意の領域に対しても同様に補正処理を行うことができる。
【００４５】
さらに、本実施の形態はリサンプリングを例に挙げて説明してあるが、ディジタル映像信号の見た目の色が変化するか否かを判定する対象となる処理はリサンプリングに限らず、色差信号に関する平滑化、すなわちローパスフィルタの効果がある処理であればよい。
【産業上の利用可能性】
【００４６】
本発明の色信号処理装置によれば、リサンプリングによる主観的な色が変化しないように補正することができるため、暗所で感度を上げて撮影するとノイズが発生しやすくなるカメラレコーダ等においても有用である。
【図面の簡単な説明】
【００４７】
【図１】ＹＵＶ４：２：２形式からＹＵＶ４：２：０形式へのダウンサンプリング処理を説明した図
【図２】実施の形態１における色変化条件判定装置のブロック図
【図３】実施の形態２における信号補正装置のブロック図
【図４】実施の形態３における色信号処理装置のブロック図
【符号の説明】
【００４８】
２０１  色変化判定装置
２０２  条件判定手段
２０３  条件判定手段
２０４  色変化判定手段
２０５  入力端子
２０６  入力端子
２０７  出力端子
３０１  信号補正装置
３０２  信号補正手段
３０３  遅延手段
３０４  入力端子
３０５  入力端子
３０６  スイッチ
３０７  出力端子
４０１  色信号処理装置
４０４  遅延手段
４０５  入力端子
４０６  出力端子
４０７  リサンプリング手段
【図１】
2008199478.tif 000005
【図２】
2008199478.tif 000006
【図３】
2008199478.tif 000007
【図４】
2008199478.tif 000008